(57)【特許請求の範囲】
【請求項１】
第一のシートと、この第一のシートの一端側に連設され、前記第一のシートの裏面側に折り返し可能な第二のシートと、前記第一のシートの他端側に連設され、折り返された状態の前記第二のシートに折り返し可能な第三のシートとから成り、
前記第一のシートの前記裏面側と前記第二のシートの裏面側の少なくとも一方に第一の貼着部が設けられ、この第一の貼着部は、折り返した前記第二のシートを前記第一のシートに剥離可能であって再貼着不可能に貼着させる第一の貼着材と、この第一の貼着材に剥離可能に貼付された第一の離型紙とを備える一方、
前記第二のシートの表面側と前記第三のシートの裏面側の少なくとも一方に第二の貼着部が設けられ、この第二の貼着部は、折り返した前記第三のシートを折り返された状態の前記第二のシートに剥離可能であって再貼着不可能に貼着させる第二の貼着材と、この第二の貼着材に剥離可能に貼付された第二の離型紙とを備えるとともに、
前記第一のシートの前記裏面側と前記第二のシートの前記裏面側の少なくとも一方に、検体を付着させる検体用媒体を設けたことを特徴とする複合シート。
【請求項２】
第一のシートと、この第一のシートの一端側に連設されて前記第一のシートの裏面側に折り畳まれた第二のシートと、前記第一のシートの他端側に連設されて前記第二のシートの表面側に折り畳まれた第三のシートとから成り、
前記第一のシートの前記裏面側と前記第二のシートの裏面側の少なくとも一方に第一の貼着部が設けられ、この第一の貼着部は、前記第二のシートを前記第一のシートに剥離可能であって再貼着不可能に貼着させる第一の貼着材と、この第一の貼着材に剥離可能に貼付された離型紙とを備える一方、
前記第二のシートと前記第三のシートは、剥離可能であって再貼着不可能な第二の貼着材により貼着されるとともに、
前記第一のシートの前記裏面側と前記第二のシートの前記裏面側の少なくとも一方に、検体を付着させる検体用媒体を設けたことを特徴とする複合シート製品。
【発明の詳細な説明】
【０００１】
【発明の属する技術分野】
本発明は、記載されている情報や検体等の隠蔽性を確保しつつ配送等を行うための複合シート及びこれを用いた複合シート製品に関する。
【０００２】
【従来の技術】
従来、葉書の裏面に所定の個人情報を印刷するとともに、該裏面に目隠しシールを剥離可能であって再粘着不可能に貼着した私製葉書が実用されている。かかる私製葉書によれば、他人が印刷されている情報を見ようとして目隠しシールを剥離すると、該目隠シールを再貼着することが不可能となって、剥離したことが発覚する。これにより、他人が不当に目隠しシールを剥離しようとする欲求を抑制するセキュリティ効果が生じて、目隠しシールが剥離されることなく個人情報の秘密性が確保される。
【０００３】
また、本人に送達された際には、目隠しシールを剥離することにより、葉書の裏面に印刷されている個人情報を見ることができる。無論、本人が目隠しシールを剥離した場合にも、再貼着することは不可能であることから、目隠しシールが剥離された状態にあることにより、本人が前記個人情報を確認済みであることが明示される確認済み明示効果が発生することになる。
【０００４】
【発明が解決しようとする課題】
しかしながら、係る私製葉書にあっては、剥離された目隠しシールを再貼着することができないことから、片道葉書である場合には前述した利点があるものの、往復葉書にした場合には、返信再送する際に前記個人情報が露呈したままとなる。つまり、例えば目隠しシールを剥離して個人情報を見た後印鑑を押して再送する郵送形態を想定した場合、再送する際には個人情報が露呈することとなる。
【０００５】
また、今日においては、目隠しシールと葉書との間に試験紙を介装し、被験者が目隠しシールを剥離して、試験紙に血液等の検体を染み込ませた後、検査機関に発送する簡易健康診断システムの構築を検討した。しかし、この場合も、一旦剥離した目隠しシールは剥離されたままとなることから、検体を染み込ませ試験紙を目隠しシールと葉書との間に介装して検査機関に発送することができない。
【０００６】
無論、目隠しシールを何度でも貼着及び剥離可能とすれば、個人情報を見た後印鑑を押して返信再送する際に、目隠しシールにより個人情報を隠蔽することができ、あるいは検体を染み込ませ試験紙を目隠しシールと葉書との間に介装して検査機関に再送することも可能となる。
【０００７】
しかし、目隠しシールを何度でも貼着及び剥離可能にすると、再送されて相手側に送達されるまでに、他人が目隠しシールを剥離して個人情報を見ても再度貼着しておけば、これが発覚することがない。したがって、再送時に前記セキュリティ効果が生じず、再送時に個人情報の秘密性を確保したり、検体の真性を確保することができない。
【０００８】
また、この返信を受け取った相手側においても、再度目隠しシールを貼着することが可能となることから、前記確認済み明示効果が発生せず、捺印等を確認したのたのにも拘わらず、未確認と誤認してしまう不都合が生ずる。さらに、検査機関においても、検査済みとなったにも拘わらず、再度目隠しシールが貼着されてしまうことにより、未検査と誤認してしまう不都合が生ずる。
【０００９】
本発明は、かかる従来の課題に鑑みてなされたものであり、送付時のセキュリティ効果を確保しつつ、確認済み明示効果も得ることができる複合シート及びこれを用いた複合シート製品を提供することを目的とする。
【００１０】
【課題を解決するための手段】
前記課題を解決するために本発明の複合シートにおいては、第一のシートと、この第一のシートの一端側に連設され、前記第一のシートの裏面側に折り返し可能な第二のシートと、前記第一のシートの他端側に連設され、折り返された状態の前記第二のシートに折り返し可能な第三のシートとから成り、前記第一のシートの前記裏面側と前記第二のシートの裏面側の少なくとも一方に第一の貼着部が設けられ、この第一の貼着部は、折り返した前記第二のシートを前記第一のシートに剥離可能であって再貼着不可能に貼着させる第一の貼着材と、この第一の貼着材に剥離可能に貼付された第一の離型紙とを備える一方、前記第二のシートの表面側と前記第三のシートの裏面側の少なくとも一方に第二の貼着部が設けられ、この第二の貼着部は、折り返した前記第三のシートを折り返された状態の前記第二のシートに剥離可能であって再貼着不可能に貼着させる第二の貼着材と、この第二の貼着材に剥離可能に貼付された第二の離型紙とを備えるとともに、前記第一のシートの前記裏面側と前記第二のシートの前記裏面側の少なくとも一方に、検体を付着させる検体用媒体を設けた。
【００１１】
かかる構成において、発送者は少なくとも第一のシートの裏面または第二のシートの裏面に通達内容を記入した後、第一の離型紙を剥がさずに第一のシートの裏面側に第二のシートを折り返し、さらに第二の離型紙を剥がして第三のシートを折り返し、第二の貼着材で第二のシートに貼着させて発送する。したがって、往信過程において他人が第三のシートを剥離すると、再貼着させることが不可能となって他人が剥離したことが発覚するため、他人が不当に第三のシートを剥離しようとする欲求を抑制する往信時のセキュリティ効果が生じる。
【００１２】
そして、受取人は、第三のシートを剥離して第一のシートから除去し、第一のシートや第二のシートに記載された通達内容を確認して捺印や記入等を行った後、第一の貼着部の離型紙を剥がして第二のシートを折り返し、第一の貼着材で第一のシートに貼着させて返送する。したがって、返信過程において他人が第二のシートを剥離すると、再貼着させることが不可能となって他人が剥離したことが発覚するため、他人が不当に第二のシートを剥離しようとする欲求を抑制する返信時のセキュリティ効果が生じる。
【００１３】
また、返送された際には、発送者は第二のシートを剥離することにより、受取人の捺印や記入内容等を確認することができる。そして、第二のシートを剥離すると再貼着は不可能となることから第二のシートが剥離された状態となり、発送者が受取人の捺印や記入内容等を確認済みであることが明示される。
【００１５】
そして、受取人である被験者は、第三のシートを剥離して第一のシートから除去し、試験紙、試験針等の検体用媒体に血液等の所定の検体を付着させた後、第一の貼着部の離型紙を剥がして第二のシートを折り返し、第一の貼着材で第一のシートに貼着させることで検査機関に発送することが可能になる。
【００１６】
また、本発明の複合シート製品においては、第一のシートと、この第一のシートの一端側に連設されて前記第一のシートの裏面側に折り畳まれた第二のシートと、前記第一のシートの他端側に連設されて前記第二のシートの表面側に折り畳まれた第三のシートとから成り、前記第一のシートの前記裏面側と前記第二のシートの裏面側の少なくとも一方に第一の貼着部が設けられ、この第一の貼着部は、前記第二のシートを前記第一のシートに剥離可能であって再貼着不可能に貼着させる第一の貼着材と、この第一の貼着材に剥離可能に貼付された離型紙とを備える一方、前記第二のシートと前記第三のシートは、剥離可能であって再貼着不可能な第二の貼着材により貼着されるとともに、前記第一のシートの前記裏面側と前記第二のシートの前記裏面側の少なくとも一方に、検体を付着させる検体用媒体を設けた。
【００１７】
かかる構成において発送者は、少なくとも第一のシートの裏面または第二のシートの裏面に通達内容を記載して製造した複合シート製品を発送することで、往信過程において他人が第三のシートを剥離すると、再貼着させることが不可能となって他人が剥離したことが発覚するため、他人が不当に第三のシートを剥離しようとする欲求を抑制する往信時のセキュリティ効果が生じる。
【００１８】
そして、受取人は、第三のシートを剥離して第一のシートから除去し、第一のシートに記載された通達内容を確認して捺印や記入等を行った後、第一の貼着部の離型紙を剥がして第二のシートを折り返し、第一の貼着材で第一のシートに貼着させて返送する。したがって、返信過程において他人が第二のシートを剥離すると、再貼着させることが不可能となって他人が剥離したことが発覚するため、他人が不当に第二のシートを剥離しようとする欲求を抑制する返信時のセキュリティ効果が生じる。
【００１９】
また、返送された際には、発送者は第二のシートを剥離することにより、受取人の捺印や記入内容等を確認することができる。そして、第二のシートを剥離すると再貼着は不可能となることから第二のシートが剥離された状態となり、発送者が受取人の捺印や記入内容等を確認済みであることが明示される。
【００２１】
そして、受取人である被験者は、第三のシートを剥離して第一のシートから除去し、試験紙、試験針等の検体用媒体に血液等の所定の検体を付着させた後、第一の貼着部の離型紙を剥がして第二のシートを折り返し、第一の貼着材で第一のシートに貼着させることで検査機関に発送することが可能になる。
【００２２】
【発明の実施の形態】
以下、一実施の形態を図にしたがって説明する。
【００２３】
図１は、第１の実施の形態を示す複合シート１の裏側を示す平面図である。この複合シート１は、第一のシート１１と、第一のシート１１の一端１２側に連設された第二のシート２１と、第一のシート１１の他端１３側に連設された第三のシート３１とを中心にして構成されており、各シート１１、２１、３１は紙製であって郵便葉書と同じ大きさに作られている。
【００２４】
第二のシート２１は、一端１２で第一のシート１１の裏面１４側に折り返しが可能となっており、第二のシート２１の裏面２２には矩形状の中央部２２ａを除いて枠状に第一の貼着部４１が設けられている。
【００２５】
第一の貼着部４１は、図２に示すように第一の貼着材４２と、第一の貼着材４２に剥離可能に貼付された第一の離型紙４３とから構成されている。さらに、第一の貼着材４２は、第二のシート２１の裏面２２上に塗布された強粘着剤４４と、強粘着剤４４上に順次積層された樹脂製のフィルム４５、剥離可能再貼着不能粘着層４６、樹脂製のフィルム４７、強粘着剤４８とから構成されている。
【００２６】
強粘着剤４４、４８は、例えばアクリル酸エステル(共)重合体：酢酸ビニル(共)重合体、ゴム系粘着剤等であって、紙に対する粘着強度がフィルム４５、４７に対する粘着強度よりも強い特性を有している。
【００２７】
剥離可能再貼着不能粘着層４６はホットメルト系接着剤等であって、一旦剥がすと再粘着不可能であり、フィルム４５、４７に対する粘着強度が強粘着剤４４、４８のフィルム４５、４７に対する粘着強度よりも弱い特性を有している。
【００２８】
また、第一の離型紙４３は第一の貼着材４２の強粘着剤４８に積層されており、この離型紙４３を剥がすことによって、第一の貼着材４２が折り返した第二のシート２１を第一のシート１１に剥離可能であって再貼着不可能に貼着させるようになっている。
【００２９】
一方、第三のシート３１は、第一のシート１１の他端１３で第一のシート１１の裏面１４側に折り返しが可能になっているとともに、折り返された状態の第二のシート２１に折り返し可能となっている。また、この他端１３にはミシン目が形成されており、第三のシート３１を第一のシート１１から容易に切り離すことが可能となっている。
【００３０】
また、第三のシート３１の裏面３２側には、上下端部３３、３３に、第二の貼着部５１、５１がそれぞれ設けられている。この第二の貼着部５１は、図３に示すように、第二の貼着材５２と、第二の貼着材５２に剥離可能に貼付された第二の離型紙５３とから構成されている。
【００３１】
第二の貼着材５２は、第一の貼着材４１と同様な構成となっている。すなわち、第三のシート３１の裏面３２の上下端部３３上に塗布された強粘着剤４４と、強粘着剤４４上に順次積層された樹脂製のフィルム４５、剥離可能再貼着不能粘着層４６、樹脂製のフィルム４７、強粘着剤４８から構成されている。
【００３２】
一方、第二の離型紙５３は第二の貼着材５２の強粘着剤４８に積層されており、この離型紙５３を剥がすことによって、第二の貼着材５２が折り返した第三のシート３１を折り返された状態の第二のシート２１に剥離可能であって再貼着不可能に貼着させるようになっている。
【００３３】
図４は、複合シート１の表側を示す平面図である。第二のシート２１の表面２３において上部には返信用宛先欄２３ａが設けられており、発送者の名前および住所と郵便番号が記載されるようになっている。返信用宛先欄２３ａの下部には差出欄２３ｂが形成されており、受取人の名前および住所と郵便番号が記載されるようになっている。
【００３４】
一方、第三のシート３１の表面３４側の上部には往信用宛先欄３４ａが設けられており、受取人の名前および住所と郵便番号が記載されるようになっている。往信用宛先欄３４ａの下部には差出欄３４ｂが形成されており、発送者の名前および住所と郵便番号が記載されるようになっている。
【００３５】
かかる構成において発送者は、第一のシート１１の裏面１４に通達内容の記入または印刷等行う。そして、第二のシート２１の返信用宛先欄２３ａと第三のシート３１の差出欄３４ｂとに発送者の名前および住所と郵便番号、第二のシート２１の差出欄２３ｂと第三のシート３１の往信用宛先欄３４ａとに受取人の名前および住所と郵便番号をそれぞれ記入または印刷する。
【００３６】
そして、図５（ａ）に示すように第二のシート２１を、第一の離型紙４３を剥がさずに第一のシート１１の裏面１４側に折り返す。折り返した後、図５（ｂ）に示すように第二の離型紙５３、５３を剥がして第三のシート３１を折り返し、第二の貼着材５２の強粘着剤４８を折り返された状態の第二のシート２１の表面２３に圧着させることによって、図５（ｃ）に示すように第三のシート３１を第二のシート２１に貼着させる。この結果、複合シート１は第三のシート３１の表面３４が一番上に位置し、第一のシート１１の裏面１４に記載された通達内容は密閉状態となる。
【００３７】
そして、発送者は、図５（ｃ）の複合シート１を受取人に発送する。この複合シート１を受け取った受取人は、図６（ａ）に示すように第三のシート３１をめくる。すると、図６（ｂ）に示すように第二のシート２１と強粘着剤４８及びフィルム４７が一体化した状態で、剥離可能再貼着不能粘着層４６から剥離する。このため、第二のシート２１に強粘着剤４８を介して一体化したフィルム４７を、第三のシート３１の剥離可能再貼着不能粘着層４６に再貼着することは不可能となる。
【００３８】
したがって、発送者から受取人までの往信過程で、他人が第三のシート３１を剥離すると、再貼着させることが不可能となって、他人が剥離したことが発覚する。このため、往信過程で他人が不当に第三のシート３１を剥離しようとする欲求を抑制する往信時のセキュリティ効果が生じる。
【００３９】
受取人は、第三のシート３１をめくった後、図６（ｃ）に示すように第二のシート２１を広げて第一のシート１１を開放する。そして、図７（ａ）に示すように第三のシート３１を他端１３に形成されたミシン目に沿って切り離して第一のシート１１から除去し、第一のシート１１の裏面１４に記載された通達内容を確認して捺印や記入等を行う。
【００４０】
そして、図７（ｂ）に示すように、第一の離型紙４３を左下角部４３ａから剥がした後、第二のシート２１を第一のシート１１の裏面１４側に折り返して第一の貼着材４２の強粘着剤４８を裏面１４に圧着させて、図７（ｃ）に示すように第二のシート２１を第一のシート１１に貼着させる。この結果、複合シート１は第二のシート２１の表面２３が一番上に位置し、第一のシート１１の裏面１４に記載された通達内容や捺印等は密閉状態となる。
【００４１】
そして、受取人は図７（ｃ）の複合シート１を発送者に返送する。これを受け取った発送者は、図８（ａ）に示すように第二のシート２１をめくると、図８（ｂ）に示すように第一のシート１１と強粘着剤４８及びフィルム４７が一体化した状態で、第二のシート２１の剥離可能再貼着不能粘着層４６から剥離する。これにより、第一のシート１１が開放されるため、裏面１４に記載された受取人の捺印や記入内容等を確認することができる。
【００４２】
また、第二のシート２１がめくられると、第一のシート１１に強粘着剤４８を介して一体化したフィルム４７を、第二のシート２１の剥離可能再貼着不能粘着層４６に再貼着することは不可能となる。
【００４３】
したがって、受取人から発送者までの返信過程で他人が第二のシート２１を剥離すると、再貼着させることが不可能となって、他人が剥離したことが発覚する。このため、返信過程で他人が不当に第二のシート２１を剥離しようとする欲求を抑制する返信時のセキュリティ効果が生じる。
【００４４】
また、適正に受取人に返送されて複合シート１の開封が行われた場合にも、第一のシート１１に強粘着剤４８を介して一体化したフィルム４７を、第二のシート２１の剥離可能再貼着不能粘着層４６に再貼着することは不可能となる。よって、第二のシート２１が剥離された状態にあることにより、発送者が受取人の捺印や記入内容等を確認済みであることが明示される。
【００４５】
このように、本実施の形態における複合シート１では、送付時のセキュリティ効果を確保しつつ、確認済み明示効果も得ることができる。
【００４６】
なお、本実施の形態では、第一の貼着部４１、第二の貼着部５１において、各シート２１、３１の裏面２２、３２上に、強粘着剤４４及びフィルム４５を介して剥離可能再貼着不能粘着層４６を形成したが、このような構造に限定されることはなく、例えば裏面２２、３２上に直接、剥離可能再貼着不能粘着層４６を形成しても同様の作用効果を奏することができる。
【００４７】
また、本実施の形態の複合シート１では、第二のシート２１の裏面２２において部分的に第一の貼着部４１を設け、また第三のシート３１の裏面３２においては上下端部３３、３３に第二の貼着部５１を設けたが、各貼着部の設置場所は特に限定されることはなく、本実施の形態の場合の他に例えば第二のシート２１の裏面２２全体に第一の貼着部を設け、第三のシート３１の裏面３２全体に第二の貼着部を設けても良い。
【００４８】
また、第一の貼着部４１を第二のシート２１の裏面２２側に設けたものとしたが、第一のシート１１と第二のシート２１とを貼着させれば良いので、第一のシート１１の裏面１４側に設けても良く、発送者や受取人が記載可能な範囲で第一のシート１１の裏面１４と第二のシート２１の裏面２２の両方に設けても良い。
【００４９】
また、第二の貼着部５１を第三のシート３１の裏面３２側に設けたものとしたが、第二のシート２１と第三のシート３１とを貼着させれば良いので、発送者や受取人が記載可能な範囲で第二のシート２１の表面２３側や、第三のシート３１の裏面３２と第二のシート２１の表面２３の両方に設けても良い。
【００５０】
また、本実施の形態の複合シート１では、発送者が第一のシート１１の裏面１４に通達内容を記載し受取人が記入や捺印等を行って、特定の二者間で情報をやりとりする情報伝達シートとして使用したが、これに限定されることはなく、例えばこの複合シート１を簡易健康診断シートとして使用しても良い。
【００５１】
すなわち、簡易健康診断シートとして使用する場合には、発送者である病院や検査機関等の担当者が、複合シート１の第一のシート１１の裏面１４において第二のシート２１の裏面２２の中央部２２ａと対応する中央部１４ａ内に試験紙Ｘ（図１に一点鎖線で図示）や試験針等の検体用媒体を貼付する。
【００５２】
そして、図５（ａ）〜（ｃ）に示すように第一の離型紙４３を剥がさずに第二のシート２１を折り畳み、第二の離型紙５３を剥がして第三のシート３１を折り返し、第二の貼着材５２の強粘着剤４８で第二のシート２１に貼着し、受取人である被験者に発送する。
【００５３】
被験者は、第三のシート３１を剥離して第一のシート１１から除去し、試験紙、試験針等の検体用媒体に、唾液、血液、尿等の所定の検体を付着させた後、第一の離型紙４３を剥がして第二のシート２１を折り返し、第一の貼着材４２の強粘着剤４８で第一のシート１１に貼着して返送する。
【００５４】
そして病院や検査機関等の担当者に返送された際には、第二のシート２１を剥離することにより、被験者の検体を検査することができる。したがってこの場合でも、本実施の形態と同様の作用効果を得ることができ、またこの複合シート１を使用することによって簡易健康診断システムを構築することができる。
【００５５】
また、前記検体用媒体は、折り畳んだ際に第一の貼着部４１と接触しない第一のシート１１の裏面１４の中央部１４ａ内に貼付する他に、第二のシート２１の裏面２２の中央部２２ａ内に貼付したり、あるいは両方に貼付しても良い。
【００５６】
図９は、第２の実施の形態を示す複合シート製品である簡易健康診断シート１０１の平面図であり、図１０は図９のＣ−Ｃ線に沿う模式断面図、図１１は図９を展開した簡易健康診断シート１０１の裏側を示す平面図である。
【００５７】
この簡易健康診断シート１０１は、第一のシート１１１と、第一のシート１１１の裏面１１２側に折り畳まれた第二のシート１２１と、第二のシート１２１の表面１２２側に折り畳まれた第三のシート１３１とから成り、第二のシート１２１と第三のシート１３１は、上下端部で第二の貼着材１５２、１５２により貼着されている。
【００５８】
各シート１１１、１２１、１３１は紙製であり、郵便葉書と同じ大きさに作られている。図１１に示すように、第一のシート１１１には、裏面１１２の中央部分に矩形状の枠１１３が形成されており、枠１１３内には検体用媒体として試験紙Ｘが貼付されている。枠１１３の下部には、受取人である被験者の個人情報（氏名、住所、年齢、血液型）を記入するための記入欄１１４が設けられている。
【００５９】
また、第二のシート１２１は第一のシート１１１の一端側１１５に連設されており、裏面１２３側には、第一のシート１１１の枠１１３内に対応する矩形状の中央部１２４を除いて枠状に第一の貼着部１４１が設けられている。
【００６０】
第一の貼着部１４１は、図１０に示すように、第一の貼着材１４２と、第一の貼着材１４２に剥離可能に貼付された離型紙１４３とから構成されている。第一の貼着材１４２は、第１の実施の形態で説明した第一の貼着材４２や第二の貼着材５２と同様な構成となっている。すなわち、第二のシート２１の裏面１２３上に塗布された強粘着剤４４と、強粘着剤４４上に順次積層された樹脂製のフィルム４５、剥離可能再貼着不能粘着層４６、樹脂製のフィルム４７、強粘着剤４８とから構成されている。
【００６１】
また、離型紙１４３は第一の貼着材１４２の強粘着剤４８に積層されており、この離型紙１４３を剥がすことによって、第一の貼着材１４２が折り返した第二のシート１２１を第一のシート１１１に剥離可能で再貼着不可能に貼着させるようになっている。
【００６２】
一方、図１１において、第三のシート１３１は第一のシート１１１の他端側１１６側に連設されている。他端１１６にはミシン目が形成されており、第三のシート１３１を第一のシート１１１から容易に切り離すことが可能となっている。
【００６３】
第三のシート１３１の裏面１３２側には、検査に関する事項（検査目的・検査料金・検査日数等）や、健康診断シート１の使用方法が記載されるスペースが設けられており、製造時において印刷されるようになっている。
【００６４】
また、第二のシート１２１を第三のシート１３１とを貼着させている第二の貼着材１５２は、製造時には第三のシート１３１の裏面１３２側の上下端部１３３、１３３に設けられている。また、本実施の形態では裏面１３２側に設けられたが、第二のシート１２１の表面１２２側に設けられていても良い。
【００６５】
第二の貼着材１５２は、第一の貼着材１４２と同様な構成となっている。すなわち、第三のシート１３１の裏面１３２上に塗布された強粘着剤４４と、強粘着剤４４上に順次積層された樹脂製のフィルム４５、剥離可能再貼着不能粘着層４６、樹脂製のフィルム４７、強粘着剤４８とから構成されており、製造時には強粘着剤４８を第二のシート１２１の表面１２２に圧着させて、第三のシート１３１を第二のシート１２１に貼着させている。
【００６６】
図１２は、図１１の簡易健康診断シート１０１の表側を示す平面図である。第二のシート１２１の表面１２２において上部には、返信用宛先欄１２２ａが設けられ、発送者である病院や検査機関等の名前および住所と郵便番号が記載されるようになっており、簡易健康診断シート１０１の製造時に印刷されている。返信用宛先欄１２２ａの下部には差出欄１２２ｂが設けられており、受取人である被験者の名前および住所と郵便番号が記載されるようになっている。
【００６７】
一方、第三のシート１３１の表面１３４において上部には、往信用宛先欄１３４ａが設けられており、受取人の名前および住所と郵便番号が記載されるようになっている。往信用宛先欄１３４ａの下部には差出欄１３４ｂが設けられ、病院や検査機関等の名前及び住所と郵便番号が記載されるようになっており、簡易健康診断シート１０１の製造時に印刷されている。
【００６８】
かかる構成において簡易健康診断シート１０１は、図９や図１０に示すように各シート１１１、１２１、１３１が折り畳まれて第三のシート１３１の表面１３４が一番上に位置して試験紙Ｘは隠蔽された状態となっている。
【００６９】
このため、簡易健康診断を行う際に病院や検査機関等の担当者は、第三のシート１３１の往信用宛先欄１３４ａに被験者の名前、住所、郵便番号の記入、印刷あるいは住所シールの貼付等を行って発送すれば良く、第一の実施の形態の複合シート１を使用する場合に比べて、試験紙Ｘを貼付したり折り畳むといった作業をしなくても済み、発送時にかかる手間を軽減することができる。
【００７０】
また、例えば団体で申し込んだ多数の被験者に対して健康診断を行う場合には、予め被験者の名前、住所、郵便番号を、第二のシート１２１の差出欄１２２ｂと第三のシート１３１の往信用宛先欄１３４ａにそれぞれ印刷しておけば、発送作業だけとなり、発送の際にかかる手間を最小限度に抑えることができる。
【００７１】
簡易健康診断シート１０１を受け取った被験者は、図１３（ａ）に示すように第三のシート１２１をめくると、図１３（ｂ）に示すように第二のシート１２１と強粘着剤４８及びフィルム４７が一体化した状態で、剥離可能再貼着不能粘着層４６から剥離する。このため、第二のシート１２１に強粘着剤４８を介して一体化したフィルム４７を、第三のシート１３１の剥離可能再貼着不能粘着層４６に再貼着することは不可能となる。
【００７２】
したがって、病院や検査機関等の担当者から被験者までの往信過程で、他人が第三のシート１３１を剥離すると、再貼着させることが不可能となって、他人が剥離したことが発覚する。このため、往信過程で他人が不当に第三のシート１３１を剥離しようとする欲求を抑制する往信時のセキュリティ効果が生じる。
【００７３】
被験者は第三のシート１３１をめくった後、図１３（ｃ）に示すように第二のシート１２１を広げて第一のシート１１１を開放する。次に、第三のシート１３１の裏面１３２に記載された使用方法に従い、図１４（ａ）に示すように第三のシート１３１を他端１１６に形成されたミシン目に沿って切り離して第一のシート１１１から除去した後、第一のシート１１１の試験紙Ｘに唾液、血液、尿等の所定の検体を付着させ、記入欄１１４に氏名、住所、年齢、血液型を記入する。
【００７４】
そして、図１４（ｂ）に示すように、離型紙１４３を左下角部１４３ａから剥がした後、第二のシート１２１を第一のシート１１１の裏面１１２側に折り返し、第一の貼着材１４２の強粘着剤４８を裏面１１２に圧着させることによって、図１４（ｃ）に示すように第二のシート１２１を第一のシート１１１に貼着させる。この結果、簡易健康診断シート１０１は第二のシート１２１の表面１２２が一番上に位置し、検体が付着された試験紙Ｘは密閉状態となる。
【００７５】
そして、被験者は図１４（ｃ）の簡易健康診断シート１を病院や検査機関等の担当者に返送する。これを受け取った担当者は、図１５（ａ）に示すように第二のシート１２１をめくると、図１５（ｂ）に示すように第一のシート１１１と強粘着剤４８及びフィルム４７が一体化した状態で、第二のシート１２１の剥離可能再貼着不能粘着層４６から剥離する。これにより第一のシート１１が開放されるため、記入欄１１４に記入された被験者の個人情報を確認し、試験紙Ｘに付着された検体を検査することができる。
【００７６】
また、第二のシート１２１がめくられると、第一のシート１１１に強粘着剤４８を介して一体化したフィルム４７を、第二のシート１２１の剥離可能再貼着不能粘着層４６に再貼着することは不可能となる。
【００７７】
したがって、被験者から病院や検査機関等の担当者までの返信過程で他人が第二のシート１２１を剥離すると、再貼着させることが不可能となって、他人が剥離したことが発覚する。このため、返信過程で他人が不当に第二のシート１２１を剥離しようとする欲求を抑制する返信時のセキュリティ効果が生じる。
【００７８】
また、適正に担当者に返送されて簡易健康診断シート１０１の開封が行われた場合にも、第一のシート１１１に強粘着剤４８を介して一体化したフィルム４７を、第二のシート１２１の剥離可能再貼着不能粘着層４６に再貼着することは不可能となる。よって、第二のシート１２１が剥離された状態にあることにより、検査済みであることが明示される。
【００７９】
このように、本実施の形態の簡易健康診断シート１０１においても、第１の実施の形態で説明した複合シート１と同様に、送付時のセキュリティ効果を確保しつつ、確認済み明示効果も得ることができる。また、この簡易健康診断シート１０１を使用することによって簡易健康診断システムを構築することができ、一度に多数の被験者の簡易健康診断を手間をかけずに行うこともできる。
【００８０】
また、第一の貼着部１４１は、第二のシート１２１を折り畳んだ際に試験紙Ｘに接触しないように設ければ良く、例えば第二のシート１２１の裏面１２３の上下端部に設けても良い。
【００８１】
また、第一の貼着部１４１を第二のシート１２１の裏面１２３側に設けたものとしたが、第一のシート１１１と第二のシート１２１とを貼着させれば良いので、第一のシート１１１の裏面１１２側や、第一のシート１１１の裏面１１２と第二のシート１２１の裏面１２３の両方に設けても良い。
【００８２】
また、検体を付着させる検体用媒体として試験紙Ｘを使用したが、これに限らず試験針等他の検体用媒体を使用しても良い。また、検体用媒体は第一のシート１１１の裏面１１２の枠１１３内に貼付する他に、第二のシート１２１の裏面１２３の中央部１２４内に貼付したり、あるいは両方に貼付しても良い。
【００８３】
また、本実施の形態では、第一のシート１１１の裏面１１２に試験紙Ｘを設けることにより複合シート製品を簡易健康診断シート１０１として使用したが、これに限らず複合シート製品は任意の目的に対して多くの情報を得ることが可能である。このため、例えば複合シート製品を使用して開発中の商品に対するアンケート調査を行う場合には、アンケートの内容を第三のシートに印刷しておき、その回答欄を第一のシートや第二のシートに設けておくことによって、本実施の形態の簡易健康診断シート１０１と同様の作用効果を備えたアンケート調査シートとして使用することができる。
【００８４】
なお、第１の実施の形態で説明した複合シートや、第２の実施の形態で説明した複合シート製品をスーパやコンビニエンスストア等で販売しても良く、これによって複合シートや複合シート製品の使用範囲を広げることができる。また、複合シートや複合シート製品が剥き出しの状態で売られている場合には、複合シートについては離型紙が剥がれていないかを確認して購入し、複合シート製品については第三のシートが剥離されていないかを確認して購入する。
【００８５】
【発明の効果】
以上説明したように本発明の複合シートにおいては、往信過程で第三のシートを剥離し、返信過程で第二のシートを剥離すると、それぞれ再貼着は不可能になるため、他人が不当にシートを剥離しようとする欲求を抑制するセキュリティ効果が生じる。また、返送された際には第二のシートを剥離すると再貼着は不可能となるため、シートが剥離された状態となって発送者が受取人の捺印等を確認済みであることが明示される。よって、送付時のセキュリティ効果を確保しつつ、確認済み明示効果も得ることができる。
【００８６】
また、受取人である被験者は第三のシートを剥離して第一のシートから除去して、試験紙、試験針等の検体用媒体に血液等の所定の検体を付着させた後、第一の貼着部の離型紙を剥がして第二のシートを折り返し、第一の貼着材で第一のシートに貼着させることで検査機関に発送することが可能になる。よって、この複合シートを使用することにより簡易健康診断システムを構築することができる。
【００８７】
また、本発明の複合シート製品においては、請求項１記載の複合シートと同様に、往信過程で第三のシートを剥離し、返信過程で第二のシートを剥離すると、それぞれ再貼着は不可能になるため、他人が不当にシートを剥離しようとする欲求を抑制するセキュリティ効果が生じる。また、返送された際には第二のシートを剥離すると再貼着は不可能となるため、シートが剥離された状態となって発送者が受取人の捺印等を確認済みであることが明示される。よって、送付時のセキュリティ効果を確保しつつ、確認済み明示効果も得ることができる。
【００８８】
そして、受取人である被験者は第三のシートを剥離して第一のシートから除去して、試験紙、試験針等の検体用媒体に血液等の所定の検体を付着させた後、第一の貼着部の離型紙を剥がして第二のシートを折り返し、第一の貼着材で第一のシートに貼着させることで検査機関に発送することが可能になる。よって、この複合シート製品を使用することで簡易健康診断システムを構築することができる。
【図面の簡単な説明】
【図１】  第１の実施の形態を示す複合シートの裏側を示す平面図である。
【図２】  図１のＡ−Ａ線に沿う模式断面図である。
【図３】  図１のＢ−Ｂ線に沿う模式断面図である。
【図４】  図１の複合シートの表側を示す平面図である。
【図５】  複合シートの発送作業の手順を示す図である。
【図６】  受け取った複合シートの開封作業の手順を示す図である。
【図７】  受け取った複合シートの返送作業の手順を示す図である。
【図８】  返送されてきた複合シートの開封作業の手順を示す図である。
【図９】  第２の実施の形態を示す簡易健康診断シートの平面図である。
【図１０】  図９のＣ−Ｃ線に沿う模式断面図である。
【図１１】  図９を展開した簡易健康診断シートの裏側を示す平面図である。
【図１２】  図１１の簡易健康診断シートの表側を示す平面図である。
【図１３】  受け取った簡易健康診断シートの開封作業の手順を示す図である。
【図１４】  受け取った簡易健康診断シートの返送作業の手順を示す図である。
【図１５】  返送されてきた簡易健康診断シートの開封作業の手順を示す図である。
【符号の説明】
１    複合シート
１１    第一のシート
１２    一端
１３    他端
１４    裏面
２１    第二のシート
２２    裏面
２３    表面
３１    第三のシート
３２    裏面
４１    第一の貼着部
４２    第一の貼着材
４３    第一の離型紙
５１    第二の貼着部
５２    第二の貼着材
５３    第二の離型紙
１０１    簡易健康診断シート
１１１    第一のシート
１１５    一端
１１６    他端
１１２    裏面
１２１    第二のシート
１２２    表面
１２３    裏面
１３１    第三のシート
１４１    第一の貼着部
１４２    第一の貼着材
１４３    離型紙
１５２    第二の貼着材
Ｘ    試験紙
【図１】
0004503165.tif 000002
【図２】
0004503165.tif 000003
【図３】
0004503165.tif 000004
【図４】
0004503165.tif 000005
【図５】
0004503165.tif 000006
【図６】
0004503165.tif 000007
【図７】
0004503165.tif 000008
【図８】
0004503165.tif 000009
【図９】
0004503165.tif 000010
【図１０】
0004503165.tif 000011
【図１１】
0004503165.tif 000012
【図１２】
0004503165.tif 000013
【図１３】
0004503165.tif 000014
【図１４】
0004503165.tif 000015
【図１５】
0004503165.tif 000016